(57)【特許請求の範囲】
【請求項１】
色温度調整方法であって、
液晶スクリーンが白色画面を表示する時に、前記液晶スクリーンの中のピクセルの色座標値を取得することと、
前記色座標値がターゲット色座標エリア内に存在するかどうかを検出することと、
前記色座標値が前記ターゲット色座標エリア内に存在しない場合、前記ピクセルに対応するＮ個の原色光のうちの少なくとも一つのコンポーネント値を調整して、調整後の前記ピクセルの色座標値が前記ターゲット色座標エリア内に存在するようになるまで調整した後停止することとを含み、
前記ターゲット色座標エリアはターゲット色座標値を含むエリアであり、前記ターゲット色座標値は前記液晶スクリーンのターゲット色温度に従って算出された色座標値であり、前記Ｎは正整数であり、
前記ピクセルに対応するＮ個の原色光のうちの少なくとも一つのコンポーネント値を調整することは、
前記Ｎ個の原色光のうちの少なくとも一つに対応する液晶の駆動電圧値を調整し、前記駆動電圧値は前記コンポーネント値と正の相関関係を示すことを含み、
前記原色光は青色光又は赤色光又は緑色光であり、前記Ｎ個の原色光のうちの少なくとも一つに対応する液晶の駆動電圧値を調整することは、
前記色座標値が前記ターゲット色座標値より高いか低いかを判断することと、
前記色座標値が前記ターゲット色座標値より低い場合、前記青色光に対応する液晶の駆動電圧値を増加させること、前記赤色光に対応する液晶の駆動電圧値を減少させること、 前記緑色光に対応する液晶の駆動電圧値を減少させることのうちの少なくとも一つの操作を実行することと、
前記色座標値が前記ターゲット色座標値より高い場合、前記青色光に対応する液晶の駆動電圧値を減少させること、前記赤色光に対応する液晶の駆動電圧値を増加させること、前記緑色光に対応する液晶の駆動電圧値を増加させることのうちの少なくとも一つの操作を実行することとを含み、
前記青色光に対応する液晶の駆動電圧値を増加させること、前記赤色光に対応する液晶の駆動電圧値を減少させること、前記緑色光に対応する液晶の駆動電圧値を減少させることのうちの少なくとも一つの操作を実行することは、
前記青色光に対応する液晶の駆動電圧値を増加させることと、
前記青色光に対応する液晶の駆動電圧値が前記青色光の限界電圧値に達した後、前記赤色光に対応する液晶の駆動電圧値を減少させること、前記緑色光に対応する液晶の駆動電圧値を減少させることのうちの少なくとも一つの操作を実行することとを含むことを特徴とする、
前記色温度調整方法。
【請求項２】
前記青色光に対応する液晶の駆動電圧値を減少させること、前記赤色光に対応する液晶の駆動電圧値を増加させること、前記緑色光に対応する液晶の駆動電圧値を増加させることのうちの少なくとも一つの操作を実行することは、
前記赤色光に対応する液晶の駆動電圧値を増加させること、前記緑色光に対応する液晶の駆動電圧値を増加させることのうちの少なくとも一つの操作を実行することと、
前記赤色光と前記緑色光に対応する液晶の駆動電圧値がいずれもそれぞれの限界電圧値に達した後、前記青色光に対応する液晶の駆動電圧値を減少させることとを含むことを特徴とする
請求項１に記載の色温度調整方法。
【請求項３】
調整後の前記原色光のコンポーネント値に従って、前記原色光に対応するガンマ曲線を調整し、前記ガンマ曲線の調整傾向は前記コンポーネント値の調整傾向と同じであることをさらに含むことを特徴とする
請求項１または２に記載の色温度調整方法。
【請求項４】
色温度調整装置であって、
液晶スクリーンが白色画面を表示する時に、前記液晶スクリーンの中のピクセルの色座標値を取得するように構成される座標取得モジュールと、
前記座標取得モジュールにより取得された前記色座標値がターゲット色座標エリア内に存在するかどうかを検出するように構成される座標検出モジュールと、
前記座標検出モジュールにより検出された前記色座標値が前記ターゲット色座標エリア内に存在しない場合、前記ピクセルに対応するＮ個の原色光のうちの少なくとも一つのコンポーネント値を調整して、調整後の前記ピクセルの色座標値が前記ターゲット色座標エリア内に存在するようになるまで調整した後停止するように構成されるコンポーネント調整モジュールとを含み、
前記ターゲット色座標エリアはターゲット色座標値を含むエリアであり、前記ターゲット色座標値は前記液晶スクリーンのターゲット色温度に従って算出された色座標値であり、前記Ｎは正整数であり、
前記コンポーネント調整モジュールは、前記Ｎ個の原色光のうちの少なくとも一つに対応する液晶の駆動電圧値を調整するようにさらに構成され、前記駆動電圧値は前記コンポーネント値と正の相関関係を示し、
前記コンポーネント調整モジュールは、
前記色座標値が前記ターゲット色座標値より高いか低いかを判断するように構成される色温度検出サブモジュールと、
前記色温度検出サブモジュールにより前記色座標値が前記ターゲット色座標値より低いことが検出される場合、前記青色光に対応する液晶の駆動電圧値を増加させること、前記赤色光に対応する液晶の駆動電圧値を減少させること、前記緑色光に対応する液晶の駆動電圧値を減少させることのうちの少なくとも一つの操作を実行するように構成される第一調整サブモジュールと、
前記色温度検出サブモジュールにより前記色座標値が前記ターゲット色座標値より高いことが検出される場合、前記青色光に対応する液晶の駆動電圧値を減少させること、前記赤色光に対応する液晶の駆動電圧値を増加させること、前記緑色光に対応する液晶の駆動電圧値を増加させることのうちの少なくとも一つの操作を実行するように構成される第二調整サブモジュールとを含み、
前記第一調整サブモジュールは、
前記青色光に対応する液晶の駆動電圧値を増加させ、
前記青色光に対応する液晶の駆動電圧値が前記青色光の限界電圧値に達した後、前記赤色光に対応する液晶の駆動電圧値を減少させること、前記緑色光に対応する液晶の駆動電圧値を減少させることのうちの少なくとも一つの操作を実行するようにさらに構成されることを特徴とする、
前記色温度調整装置。
【請求項５】
前記第二調整サブモジュールは、
前記赤色光に対応する液晶の駆動電圧値を増加させること、前記緑色光に対応する液晶の駆動電圧値を増加させることのうちの少なくとも一つの操作を実行し、
前記赤色光と前記緑色光に対応する液晶の駆動電圧値がいずれもそれぞれの限界電圧値に達した後、前記青色光に対応する液晶の駆動電圧値を減少させるようにさらに構成されることを特徴とする
請求項４に記載の色温度調整装置。
【請求項６】
前記コンポーネント調整モジュールにより調整された後の前記原色光のコンポーネント値に従って、前記原色光に対応するガンマ曲線を調整するように構成されるガンマ調整モジュールをさらに含み、前記ガンマ曲線の調整傾向は前記コンポーネント値の調整傾向と同じであることを特徴とする
請求項４または５に記載の色温度調整装置。
【請求項７】
色温度調整装置であって、
プロセッサと、
プロセッサの実行可能な命令を記憶することに用いられるメモリとを含み、
前記プロセッサは、
液晶スクリーンが白色画面を表示する時に、前記液晶スクリーンの中のピクセルの色座標値を取得し、
前記色座標値がターゲット色座標エリア内に存在するかどうかを検出し、
前記色座標値が前記ターゲット色座標エリア内に存在しない場合、前記ピクセルに対応するＮ個の原色光のうちの少なくとも一つのコンポーネント値を調整して、調整後の前記ピクセルの色座標値が前記ターゲット色座標エリア内に存在するようになるまで調整した後停止するように構成され、
前記ターゲット色座標エリアはターゲット色座標値を含むエリアであり、前記ターゲット色座標値は前記液晶スクリーンのターゲット色温度に従って算出された色座標値であり、前記Ｎは正整数であり、
前記ピクセルに対応するＮ個の原色光のうちの少なくとも一つのコンポーネント値を調整することは、
前記Ｎ個の原色光のうちの少なくとも一つに対応する液晶の駆動電圧値を調整し、前記駆動電圧値は前記コンポーネント値と正の相関関係を示すことを含み、
前記原色光は青色光又は赤色光又は緑色光であり、前記Ｎ個の原色光のうちの少なくとも一つに対応する液晶の駆動電圧値を調整することは、
前記色座標値が前記ターゲット色座標値より高いか低いかを判断することと、
前記色座標値が前記ターゲット色座標値より低い場合、前記青色光に対応する液晶の駆動電圧値を増加させること、前記赤色光に対応する液晶の駆動電圧値を減少させること、 前記緑色光に対応する液晶の駆動電圧値を減少させることのうちの少なくとも一つの操作を実行することと、
前記色座標値が前記ターゲット色座標値より高い場合、前記青色光に対応する液晶の駆動電圧値を減少させること、前記赤色光に対応する液晶の駆動電圧値を増加させること、 前記緑色光に対応する液晶の駆動電圧値を増加させることのうちの少なくとも一つの操作を実行することとを含み、
前記青色光に対応する液晶の駆動電圧値を増加させること、前記赤色光に対応する液晶の駆動電圧値を減少させること、前記緑色光に対応する液晶の駆動電圧値を減少させることのうちの少なくとも一つの操作を実行することは、
前記青色光に対応する液晶の駆動電圧値を増加させることと、
前記青色光に対応する液晶の駆動電圧値が前記青色光の限界電圧値に達した後、前記赤色光に対応する液晶の駆動電圧値を減少させること、前記緑色光に対応する液晶の駆動電圧値を減少させることのうちの少なくとも一つの操作を実行することとを含むことを特徴とする、
前記色温度調整装置。
【発明の詳細な説明】
【技術分野】
【０００１】
本発明は表示技術分野に関し、特に色温度調整方法及び装置に関する。
【背景技術】
【０００２】
本願は、出願番号が２０１５１０１３１３９１．５であり、出願日が２０１５年３月２４日である中国特許出願に基づいて提出され、該中国特許出願の優先権を主張し、該中国特許出願のすべての内容を本願に援用する。
【０００３】
光源の色温度とは、光源から放出された光の光色が理想的な黒体の光色と同じである時の、理想的な黒体の温度を指す。通常、低い色温度の光源は暖光を放出し、高い色温度の光源は冷光を放出する。
【０００４】
液晶スクリーンは、発光ダイオード（Ｌｉｇｈｔ  Ｅｍｉｔｔｉｎｇ  Ｄｉｏｄｅ：ＬＥＤ）を備えるバックライトモジュール、導光板と液晶を含み、バックライトモジュールの中に異なるＬＥＤにより放射される青色光、赤色光と緑色光はそれぞれ各自に対応する液晶を経由して導光板に偏向照射され、導光板は上記三つの光を混合して、液晶スクリーンの各ピクセルに対応する表示の色を得る。ここからわかるように、液晶スクリーンの色温度は主にＬＥＤの色温度により決められる。ＬＥＤの色温度が異なると、液晶スクリーンが白色画面を表示する時に、ユーザーにより感じられる色も異なるので、液晶スクリーンの色温度を調整する必要がある。
【０００５】
通常、メーカーがＬＥＤの色温度に従ってＬＥＤに対してブロック区分をし、同じブロック内のＬＥＤの色温度が比較的に近いので、異なるブロックのＬＥＤを液晶スクリーンに交互に配置することができ、このように混合して得た液晶スクリーンの色温度は比較的に一致である。例えば、色温度が６５００ｋであるＬＥＤブロックと色温度が８１００ｋであるＬＥＤブロックを交互に配置し混合して得た液晶スクリーンの色温度は７３００ｋほどである。
【発明の概要】
【発明が解決しようとする課題】
【０００６】
異なるブロックのＬＥＤを液晶スクリーンに交互に配置した後、液晶スクリーンの色温度が依然として不一致である問題を解決するために、本発明は色温度調整方法及び装置を提供する。
【課題を解決するための手段】
【０００７】
本発明の実施例の第１の態様に従って、色温度調整方法を提供する。該色温度調整方法は、
液晶スクリーンが白色画面を表示する時に、前記液晶スクリーンの中のピクセルの色座標値を取得することと、
前記色座標値がターゲット色座標エリア内に存在するかどうかを検出することと、
前記色座標値が前記ターゲット色座標エリア内に存在しない場合、前記ピクセルに対応するＮ個の原色光のうちの少なくとも一つのコンポーネント値を調整して、調整後の前記ピクセルの色座標値が前記ターゲット色座標エリア内に存在するようになるまで調整した後停止することとを含み、
前記ターゲット色座標エリアはターゲット色座標値を含むエリアであり、前記ターゲット色座標値は前記液晶スクリーンのターゲット色温度に従って算出された色座標値であり、前記Ｎは正整数である。
【０００８】
本発明の実施例の第２の態様に従って、色温度調整装置を提供する。該色温度調整装置は、
液晶スクリーンが白色画面を表示する時に、前記液晶スクリーンの中のピクセルの色座標値を取得するように構成される座標取得モジュールと、
前記座標取得モジュールにより取得された前記色座標値がターゲット色座標エリア内に存在するかどうかを検出するように構成される座標検出モジュールと、
前記座標検出モジュールにより検出された前記色座標値が前記ターゲット色座標エリア内に存在しない場合、前記ピクセルに対応するＮ個の原色光のうちの少なくとも一つのコンポーネント値を調整して、調整後の前記ピクセルの色座標値が前記ターゲット色座標エリア内に存在するようになるまで調整した後停止するように構成されるコンポーネント調整モジュールとを含み、
前記ターゲット色座標エリアはターゲット色座標値を含むエリアであり、前記ターゲット色座標値は前記液晶スクリーンのターゲット色温度に従って算出された色座標値であり、前記Ｎは正整数である。
【０００９】
本発明の実施例の第３の態様に従って、色温度調整装置を提供する。該色温度調整装置は、
プロセッサと、
プロセッサの実行可能な命令を記憶することに用いられるメモリとを含み、
前記プロセッサは、
液晶スクリーンが白色画面を表示する時に、前記液晶スクリーンの中のピクセルの色座標値を取得し、
前記色座標値がターゲット色座標エリア内に存在するかどうかを検出し、
前記色座標値が前記ターゲット色座標エリア内に存在しない場合、前記ピクセルに対応するＮ個の原色光のうちの少なくとも一つのコンポーネント値を調整して、調整後の前記ピクセルの色座標値が前記ターゲット色座標エリア内に存在するようになるまで調整した後停止するように構成され、
前記ターゲット色座標エリアはターゲット色座標値を含むエリアであり、前記ターゲット色座標値は前記液晶スクリーンのターゲット色温度に従って算出された色座標値であり、前記Ｎは正整数である。
【００１０】
本発明の実施例により提供される技術的解決手段は、以下の有益効果を含む。
【００１１】
液晶スクリーンが白色画面を表示する時に、液晶スクリーンの中のピクセルの色座標値を取得し、色座標値がターゲット色座標エリア内に存在するかどうかを検出し、ターゲット色座標エリアはターゲット色座標値を含むエリアであり、ターゲット色座標値は液晶スクリーンのターゲット色温度に従って算出された色座標値であり、色座標値がターゲット色座標エリア内に存在しない場合、ピクセルに対応するＮ個の原色光のうちの少なくとも一つのコンポーネント値を調整して、調整後のピクセルの色座標値がターゲット色座標エリア内に存在するようになるまで調整した後停止する。異なるコンポーネント値の原色光を相互に混合すると、異なる色温度の光が生成されるので、原色光のコンポーネント値を調整することにより、調整された後に各種原色光を混合して得た色温度をターゲット色温度に等しいようにすることで、異なるブロックのＬＥＤを液晶スクリーンに交互に配置した後、液晶スクリーンの色温度が依然として不一致した問題を解決し、液晶スクリーンの色温度の一致性を向上させる効果を達成する。
【００１２】
以上の一般的な説明と後記の詳細な説明は例示的なものに過ぎなく、本発明を制限しないと理解すべきである。
【図面の簡単な説明】
【００１３】
【図１】一つの例示的な実施例に従って色温度調整方法を示すフローチャートである。
【図２】もう一つの例示的な実施例に従って色温度調整方法を示すフローチャートである。
【図３】一つの例示的な実施例に従って色温度調整装置を示すブロック図である。
【図４】一つの例示的な実施例に従って色温度調整装置を示すブロック図である。
【図５】一つの例示的な実施例に従って色温度調整に用いられる装置を示すブロック図である。
【発明を実施するための形態】
【００１４】
添付の図面は、明細書の一部として明細書全体を構成し、本発明に適した実施例を例示して、本発明の原理を解釈するためのものである。
【００１５】
ここで例示的な実施例に対して詳しく説明し、これを例示的に図面に示した。以下、図面について説明する時に、特別に示される場合以外に、異なる図面における同じ数字は同じ又は類似の構成要素を示す。以下の例示的な実施例の中に説明される実施の形態は、本発明と一致するすべての実施の形態を意味することではない。逆に、それらは添付された特許請求の範囲に記述されるような、本発明の一部の態様と一致する装置と方法の例である。
【００１６】
図１は一つの例示的な実施例に示される色温度調整方法のフローチャートであり、この色温度調整方法は液晶スクリーンを含む端末に応用され、図１に示すように、この色温度調整方法は、以下のステップを含む。
【００１７】
ステップ１０１において、液晶スクリーンが白色画面を表示する時に、液晶スクリーンの中のピクセルの色座標値を取得する。
【００１８】
ステップ１０２において、色座標値がターゲット色座標エリア内に存在するかどうかを検出し、ターゲット色座標エリアはターゲット色座標値を含むエリアであり、ターゲット色座標値は液晶スクリーンのターゲット色温度に従って算出された色座標値である。
【００１９】
ステップ１０３において、色座標値がターゲット色座標エリア内に存在しない場合、ピクセルに対応するＮ個の原色光のうちの少なくとも一つのコンポーネント値を調整して、調整後のピクセルの色座標値がターゲット色座標エリア内に存在するようになるまで調整した後停止し、Ｎは正整数である。
【００２０】
上記のように、本発明により提供される色温度調整方法は、液晶スクリーンが白色画面を表示する時に、液晶スクリーンの中のピクセルの色座標値を取得し、色座標値がターゲット色座標エリア内に存在するかどうかを検出し、ターゲット色座標エリアはターゲット色座標値を含むエリアであり、ターゲット色座標値は液晶スクリーンのターゲット色温度に従って算出された色座標値であり、色座標値がターゲット色座標エリア内に存在しない場合、ピクセルに対応するＮ個の原色光のうちの少なくとも一つのコンポーネント値を調整して、調整後のピクセルの色座標値がターゲット色座標エリア内に存在するようになるまで調整した後停止することである。異なるコンポーネント値の原色光を相互に混合すれば異なる色温度の光が生成されるので、原色光のコンポーネント値を調整することにより、調整された後に各種原色光を混合して得た色温度をターゲット色温度と等しいようにすることで、異なるブロックのＬＥＤを液晶スクリーンに交互に配置した後、液晶スクリーンの色温度が依然として不一致した問題を解決し、液晶スクリーンの色温度の一致性を向上させる効果を達成する。
【００２１】
図２はもう一つの例示的な実施例に示される色温度調整方法のフローチャートであり、この色温度調整方法は液晶スクリーンを含む端末に応用され、図２に示すように、この色温度調整方法は以下のステップを含む。
【００２２】
ステップ２０１において、液晶スクリーンが白色画面を表示する時に、液晶スクリーンの中のピクセルの色座標値を取得する。
【００２３】
色座標は色度図で一つの点を確定することに用いられ、この点はこの色座標に対応する発光色を示す。よく利用される色座標の水平軸はｘ軸であり、垂直軸はｙ軸であり、この時に色座標値は（ｘ，ｙ）に示す。例えば、白熱灯色の色座標値は（．４６３，．４２０）である。
【００２４】
色温度は色座標に従って算出されるものであって、色座標との間に対応関係がある。例えば、７３００ｋの色温度は（．３０，．３２）の色座標値に対応する。色座標に従って色温度を計算することは比較的に成熟の技術であり、ここで説明を省略する。
【００２５】
本実施例は液晶スクリーンの色温度の一致性を調整する必要があるため、一つの実現の様態において、液晶スクリーンの色温度を調整することは、液晶スクリーンの中のピクセルの色座標値を調整することに転換できる。本実施例において、液晶スクリーンが白色画面を表示する時に、計測装置を使用してピクセルの色座標値を計測する。液晶スクリーンのセンターエリアの発光が比較的に均一であるので、色座標値の正確度を向上させるために、液晶スクリーンのセンターエリアのピクセルの色座標値を計測していい。
【００２６】
ステップ２０２において、色座標値がターゲット色座標エリア内に存在するかどうかを検出し、ターゲット色座標エリアはターゲット色座標値を含むエリアであり、ターゲット色座標値は液晶スクリーンのターゲット色温度に従って算出された色座標値である。
【００２７】
本実施例において、端末は液晶スクリーンのターゲット色温度を予め設定でき、ターゲット色温度に従ってターゲット色座標値を計算し、液晶スクリーンの中のピクセルの色座標値をこのターゲット色座標値に調整することで、液晶スクリーンの色温度の一致性を保証する。
【００２８】
ピクセルの色座標値をターゲット色座標値に正確的に調整することは難しいので、調整の難しさを下げるために、ターゲット色座標値に基づいてターゲット色座標エリアを設定することができる。このターゲット色座標エリア内に存在する色座標値に対応する色温度に対するユーザの感知は同じである。
【００２９】
ターゲット色座標エリアはターゲット色座標値に従って計算して取得できる。色座標値のｘとｙの許容誤差はいずれも０．００５であって、且つターゲット色座標値は（．３０，．３２）であることを仮定すると、この時のターゲット色座標エリアは、（．２９５，．３１５）、（．３０５，．３１５）、（．２９５，．３２５）および（．３０５，．３２５）の四つの頂点から構成されるすべての座標値である。
【００３０】
色座標値がターゲット色座標エリア内に存在するかどうかを端末で検出することにおいて、色座標値がターゲット色座標エリア内に存在する場合、液晶スクリーンの色温度を調整する必要がないことを確定して、プロセスを終了し、色座標値がターゲット色座標エリア内に存在しない場合、液晶スクリーンの色温度を調整する必要があることを確定して、ステップ２０３を実行する。
【００３１】
ステップ２０３において、色座標値がターゲット色座標エリア内に存在しない場合、ピクセルに対応するＮ個の原色光のうちの少なくとも一つのコンポーネント値を調整して、調整後のピクセルの色座標値がターゲット色座標エリア内に存在するようになるまで調整した後停止し、Ｎは正整数である。
【００３２】
ピクセルの発光色はＮ個の原色光を混合して得たものであって、且つ異なるコンポーネント値の原色光を混合して得た発光色は異なるので、ピクセルの色温度は原色光のコンポーネント値と関連され、ピクセルの色座標値を調整する必要がある場合に、ピクセルに対応するＮ個の原色光のうちの少なくとも一つのコンポーネント値を調整できる。コンポーネント値は、一つの原色光が発光色に占める比例を指示することに用いられ、且つすべての原色光のコンポーネント値の和は１と等しい。
【００３３】
ここで、ピクセルに対応するＮ個の原色光のうちの少なくとも一つのコンポーネント値を調整することは、Ｎ個の原色光のうちの少なくとも一つに対応する液晶の駆動電圧値を調整することを含み、駆動電圧値はコンポーネント値と正の相関関係を示す。
【００３４】
各種原色光に対して、この原色光のコンポーネント値はこの原色光のグレースケールにより決められ、この原色光のグレースケールは対応する液晶の偏向角度により決められ、液晶の偏向角度はこの液晶に対応する駆動電圧により制御されるので、原色光のコンポーネント値を調整することはこの原色光に対応する液晶の駆動電圧値を調整することに転換できる。一つの駆動電圧は一つの原色光に対応する液晶を制御する。ここで、駆動電圧値が大きいほど、液晶の偏向角度が大きく、光の透過率が高いので、原色光のグレースケールが高いほど、原色光のコンポーネント値が大きい。
【００３５】
ここで、原色光は青色光又は赤色光又は緑色光であり、Ｎ個の原色光のうちの少なくとも一つに対応する液晶の駆動電圧値を調整することは、
１）色座標値に従ってピクセルの色温度がターゲット色温度より高いか低いかを判断することと、
２）ピクセルの色温度がターゲット色温度より低い場合、青色光に対応する液晶の駆動電圧値を増加させること、赤色光に対応する液晶の駆動電圧値を減少させること、緑色光に対応する液晶の駆動電圧値を減少させることのうちの少なくとも一つの操作を実行することと、
３）ピクセルの色温度がターゲット色温度より高い場合、青色光に対応する液晶の駆動電圧値を減少させること、赤色光に対応する液晶の駆動電圧値を増加させること、緑色光に対応する液晶の駆動電圧値を増加させることのうちの少なくとも一つの操作を実行することとを含む。
【００３６】
ピクセルの色温度がターゲット色温度より低い場合、ピクセルの発光色が暖かいことを説明し、この時に、青色光に対応する液晶の駆動電圧値を増加させること、赤色光に対応する液晶の駆動電圧値を減少させること、緑色光に対応する液晶の駆動電圧値を減少させることのうちの少なくとも一つの操作を実行する必要がある。例えば、青色光に対応する液晶の駆動電圧値だけを増加させること、又は、赤色光に対応する液晶の駆動電圧値だけを減少させること、又は、同時に赤色光と緑色光の各自に対応する液晶の駆動電圧値を減少させること、又は、青色光に対応する液晶の駆動電圧値を増加させる同時に、赤色光と緑色光の各自に対応する液晶の駆動電圧値を減少させることなどである。
【００３７】
液晶スクリーンの明るさに対する影響がある原色光は降順で緑色光、赤色光と青色光であるので、原色光のコンポーネント値の調整による明るさに対する影響を低減させるために、青色光に対応する液晶の駆動電圧値を優先的に増加させ、そして、赤色光と緑色光の各自に対応する液晶の駆動電圧値を減少させることができる。
【００３８】
第一の実現方式において、青色光に対応する液晶の駆動電圧値を増加させること、赤色光に対応する液晶の駆動電圧値を減少させること、緑色光に対応する液晶の駆動電圧値を減少させることのうちの少なくとも一つの操作を実行することは、
１）青色光に対応する液晶の駆動電圧値を増加させることと、
２）青色光に対応する液晶の駆動電圧値が青色光の限界電圧値に達した後、赤色光に対応する液晶の駆動電圧値を減少させること、緑色光に対応する液晶の駆動電圧値を減少させることのうちの少なくとも一つの操作を実行することとを含む。
【００３９】
ここで、青色光に対応する液晶の駆動電圧値を増加させる場合、端末は事前に設定されたステップサイズに従って駆動電圧値を増加させることができ、例えば、事前に設定されたステップサイズを０．０５ｖに設定する場合、端末は毎回青色光に対応する液晶の駆動電圧値を０．０５ｖ増加させることができ、この時の色座標値がターゲット色座標エリア内に存在するかどうかを検出して、この時の色座標値がターゲットエリア内に存在しない場合、続いて青色光に対応する液晶の駆動電圧値を０．０５ｖ増加させることができ、この時の色座標値がターゲットエリア内に存在すると、調整プロセスを終了する。又は、端末は事前に設定されたステップサイズに対して収束でき、収束された後の事前に設定されたステップサイズに従って駆動電圧値を増加させる。例えば、初期の事前に設定されたステップサイズが０．２ｖであり、端末は青色光に対応する液晶の駆動電圧値を０．２ｖ増加させ、この時の色座標値がターゲット色座標エリア内に存在するかどうかを検出して、この時の色座標値がターゲットエリア内に存在しなく、且つこの時の色座標値がターゲット色座標エリアの最大値より大きいと、事前に設定されたステップサイズを−０．１ｖに設定し、青色光に対応する液晶の駆動電圧値を０．１ｖ減少させ、この時の色座標値がターゲットエリア内に存在しなく、且つこの時の色座標値がターゲット色座標エリアの最大値より小さいと、事前に設定されたステップサイズを０．２ｖに設定し、続いて青色光に対応する液晶の駆動電圧値を０．２ｖ増加させる。
【００４０】
端末は各種原色光のために一つの限界電圧値を設定でき、原色光に対応する液晶の駆動電圧値をこの限界電圧値の以下に限定する。青色光に対応する液晶の駆動電圧値は青色光の限界電圧値に達する時に、色座標値がまだターゲット色座標エリア内に存在しない場合、この時に、赤色光に対応する液晶の駆動電圧値を減少させること、緑色光に対応する液晶の駆動電圧値を減少させることのうちの少なくとも一つの操作を実行する必要がある。赤色光に対応する液晶の駆動電圧値を減少させることと緑色光に対応する液晶の駆動電圧値を減少させることのプロセスは、上記青色光に対応する液晶の駆動電圧値を増加させるプロセスと類似し、ここで説明を省略する。
【００４１】
ピクセルの色温度がターゲット色温度より高い時に、ピクセルの発光色は冷たいことを説明し、この時に青色光に対応する液晶の駆動電圧値を減少させること、赤色光に対応する液晶の駆動電圧値を増加させること、緑色光に対応する液晶の駆動電圧値を増加させることのうちの少なくとも一つの操作を実行する必要がある。例えば、青色光に対応する液晶の駆動電圧値だけ減少させること、又は、赤色光に対応する液晶の駆動電圧値だけ増加させること、又は、同時に赤色光と緑色光の各自に対応する液晶の駆動電圧値を増加させること、又は、青色光に対応する液晶の駆動電圧値を減少させる同時に、赤色光と緑色光の各自に対応する液晶の駆動電圧値を増加させることなどである。
【００４２】
原色光のコンポーネント値を減少させると液晶スクリーンの明るさを低減させるので、原色光のコンポーネント値の調整による明るさに対する影響を低減させるために、赤色光又は緑色光の各自に対応する液晶の駆動電圧値を優先的に増加させ、そして、青色光に対応する液晶の駆動電圧値を減少させることができる。
【００４３】
第二の実現方式において、青色光に対応する液晶の駆動電圧値を減少させること、赤色光に対応する液晶の駆動電圧値を増加させること、緑色光に対応する液晶の駆動電圧値を増加させることのうちの少なくとも一つの操作を実行することは、
１）赤色光に対応する液晶の駆動電圧値を増加させること、緑色光に対応する液晶の駆動電圧値を増加させることのうちの少なくとも一つの操作を実行することと、
２）赤色光と緑色光に対応する液晶の駆動電圧値がいずれも各自の限界電圧値に達した後、青色光に対応する液晶の駆動電圧値を減少させることとを含む。
【００４４】
赤色光と緑色光の各自に対応する液晶の駆動電圧値を増加させることと青色光に対応する液晶の駆動電圧値を減少させることのプロセスは、青色光に対応する液晶の駆動電圧値を増加させることのプロセスと類似し、ここで説明を省略する。
【００４５】
ステップ２０４において、調整された後の原色光のコンポーネント値に従って、原色光に対応するガンマ曲線を調整し、ガンマ曲線の調整傾向はコンポーネント値の調整傾向と同じである。
【００４６】
液晶スクリーンの表示効果は明るさとコントラストと関連するため、原色光のコンポーネント値を調整して、ピクセルの色座標値をターゲット色座標エリア内に位置するようにした後、端末は調整された原色光のガンマ曲線に対して調整する必要があり、液晶スクリーンの明るさとコントラストを調整して、液晶スクリーンの表示効果を向上させる。例えば、青色光のコンポーネント値を調整した後、青色光のガンマ曲線に対して調整する必要があり、緑色光と赤色光のコンポーネント値を調整した後、それぞれ赤色光のガンマ曲線と緑色光のガンマ曲線に対して調整する必要がある。
【００４７】
ここで、ガンマ曲線の調整傾向はコンポーネント値の調整傾向と同じである。例えば、原色光のコンポーネント値を増加させるとき、ガンマ曲線を上に平行移動させ、原色光のコンポーネント値を減少させるとき、ガンマ曲線を下に平行移動させる。
【００４８】
ガンマ曲線の曲線特性から分かるように、グレースケールが小さければ小さいほど、明るさの変化が小さく、グレースケールが大きければ大きいほど、明るさの変化が大きいので、ガンマ曲線の調整振幅を段階的に設定でき、ガンマ曲線を調整する正確度を向上させる。例えば、グレースケールがより小さいガンマ曲線に対して第一調整振幅を設定し、グレースケールがより大きいガンマ曲線に対して第二調整振幅を設定し、且つ第一調整振幅は第二調整振幅より小さい。ここで、ガンマ曲線に対する調整振幅は算出される数でもいいし、経験値でもいいし、本実施例は限定しない。
【００４９】
上記のように、本発明により提供される色温度調整方法は、液晶スクリーンが白色画面を表示する時に、液晶スクリーンの中のピクセルの色座標値を取得し、色座標値がターゲット色座標エリア内に存在するかどうかを検出し、ターゲット色座標エリアはターゲット色座標値を含むエリアであり、ターゲット色座標値は液晶スクリーンのターゲット色温度に従って算出された色座標値であり、色座標値がターゲット色座標エリア内に存在しない場合、ピクセルに対応するＮ個の原色光のうちの少なくとも一つのコンポーネント値を調整して、調整後のピクセルの色座標値がターゲット色座標エリア内に存在するようになるまで調整した後停止することである。異なるコンポーネント値の原色光を相互に混合すれば、異なる色温度の光が生成されるので、原色光のコンポーネント値を調整することにより、調整された後に各種原色光を混合して得た色温度をターゲット色温度と等しいようにすることで、異なるブロックのＬＥＤを液晶スクリーンに交互に配置した後、液晶スクリーンの色温度が依然として不一致した問題を解決し、液晶スクリーンの色温度の一致性を向上させる効果を達成する。
【００５０】
また、調整された後の原色光のコンポーネント値に従って、原色光に対応するガンマ曲線を調整し、ガンマ曲線の調整傾向はコンポーネント値の調整傾向と同じであることにより、液晶スクリーンの色温度を調整した後、液晶スクリーンの明るさとコントラストに対して調整して、液晶スクリーンの表示効果を向上させることができる。
【００５１】
図３は一つの例示的な実施例より示される色温度調整装置のブロック図であって、この色温度調整装置は液晶スクリーンを含む端末に応用され、図３に示すように、この色温度調整装置は、座標取得モジュール３０１、座標検出モジュール３０２およびコンポーネント調整モジュール３０３を含む。
【００５２】
該座標取得モジュール３０１は、液晶スクリーンが白色画面を表示する時に、液晶スクリーンの中のピクセルの色座標値を取得するように構成される。
【００５３】
該座標検出モジュール３０２は、座標取得モジュール３０１により取得された色座標値がターゲット色座標エリア内に存在するかどうかを検出するように構成され、ここで、ターゲット色座標エリアはターゲット色座標値を含むエリアであり、ターゲット色座標値は液晶スクリーンのターゲット色温度に従って算出された色座標値である。
【００５４】
該コンポーネント調整モジュール３０３は、座標検出モジュール３０２により検出された色座標値がターゲット色座標エリア内に存在しない場合、ピクセルに対応するＮ個の原色光のうちの少なくとも一つのコンポーネント値を調整して、調整後のピクセルの色座標値がターゲット色座標エリア内に存在するようになるまで調整した後停止するように構成され、Ｎは正整数である。
【００５５】
上記のように、本発明により提供される色温度調整装置は、液晶スクリーンより白色画面を表示する時に、液晶スクリーンの中のピクセルの色座標値を取得し、色座標値がターゲット色座標エリア内に存在するかどうかを検出し、ターゲット色座標エリアはターゲット色座標値を含むエリアであり、ターゲット色座標値は液晶スクリーンのターゲット色温度に従って算出された色座標値であり、色座標値がターゲット色座標エリア内に存在しない場合、ピクセルに対応するＮ個の原色光のうちの少なくとも一つのコンポーネント値を調整して、調整後のピクセルの色座標値がターゲット色座標エリア内に存在するようになるまで調整した後停止することである。異なるコンポーネント値の原色光を相互に混合すれば、異なる色温度の光が生成されるので、原色光のコンポーネント値を調整することにより、調整された後に各種原色光を混合して得た色温度をターゲット色温度と等しいようにすることで、異なるブロックのＬＥＤを液晶スクリーンに交互に配置した後、液晶スクリーンの色温度が依然として不一致した問題を解決し、液晶スクリーンの色温度の一致性を向上させる効果を達成する。。
【００５６】
図４は一つの例示的な実施例より示される色温度調整装置のブロック図であって、この色温度調整装置液晶はスクリーンを含む端末に応用され、図４に示すように、この色温度調整装置は、座標取得モジュール４０１、座標検出モジュール４０２およびコンポーネント調整モジュール４０３を含む。
【００５７】
該座標取得モジュール４０１は、液晶スクリーンが白色画面を表示する時に、液晶スクリーンの中のピクセルの色座標値を取得するように構成される。
【００５８】
該座標検出モジュール４０２は、座標取得モジュール４０１により取得された色座標値がターゲット色座標エリア内に存在するかどうかを検出するように構成され、ターゲット色座標エリアはターゲット色座標値を含むエリアであり、ターゲット色座標値は液晶スクリーンのターゲット色温度に従って算出された色座標値である。
【００５９】
該コンポーネント調整モジュール４０３は、座標検出モジュール４０２により検出された色座標値がターゲット色座標エリア内に存在しない場合、ピクセルに対応するＮ個の原色光のうちの少なくとも一つのコンポーネント値を調整して、調整後のピクセルの色座標値がターゲット色座標エリア内に存在するようになるまで調整した後停止するように構成され、Ｎは正整数である。
【００６０】
オプションとして、コンポーネント調整モジュール４０３は、Ｎ個の原色光のうちの少なくとも一つに対応する液晶の駆動電圧値を調整するようにさらに構成され、駆動電圧値はコンポーネント値と正の相関関係である。
【００６１】
オプションとして、コンポーネント調整モジュール４０３は、色温度検出サブモジュール４０３１、第一調整サブモジュール４０３２および第二調整サブモジュール４０３３を含む。
【００６２】
該色温度検出サブモジュール４０３１は、色座標値に従ってピクセルの色温度がターゲット色温度より高いか低いかを判断するように構成される。
【００６３】
該第一調整サブモジュール４０３２は、色温度検出サブモジュール４０３１により検出されたピクセルの色温度がターゲット色温度より低い場合、青色光に対応する液晶の駆動電圧値を増加させること、赤色光に対応する液晶の駆動電圧値を減少させること、緑色光に対応する液晶の駆動電圧値を減少させることのうちの少なくとも一つの操作を実行するように構成される。
【００６４】
該第二調整サブモジュール４０３３は、色温度検出サブモジュール４０３１により検出されたピクセルの色温度がターゲット色温度より高い場合、青色光に対応する液晶の駆動電圧値を減少させること、赤色光に対応する液晶の駆動電圧値を増加させること、緑色光に対応する液晶の駆動電圧値を増加させることのうちの少なくとも一つの操作を実行するように構成される。
【００６５】
オプションとして、第一調整サブモジュール４０３２は、
青色光に対応する液晶の駆動電圧値を増加させ、
青色光に対応する液晶の駆動電圧値が青色光の限界電圧値に達した後、赤色光に対応する液晶の駆動電圧値を減少させること、緑色光に対応する液晶の駆動電圧値を減少させることのうちの少なくとも一つの操作を実行するようにさらに構成される。
【００６６】
オプションとして、第二調整サブモジュール４０３３は、
赤色光に対応する液晶の駆動電圧値を増加させること、緑色光に対応する液晶の駆動電圧値を増加させることうちの少なくとも一つの操作を実行し、
赤色光と緑色光に対応する液晶の駆動電圧値がいずれも各自の限界電圧値を達した後、青色光に対応する液晶の駆動電圧値を減少させるようにさらに構成される。
【００６７】
オプションとして、この色温度調整装置は、ガンマ調整モジュール４０４をさらに含む。
【００６８】
該ガンマ調整モジュール４０４は、コンポーネント調整モジュール４０３により調整された後の原色光のコンポーネント値に従って、原色光に対応するガンマ曲線を調整するように構成され、ここで、ガンマ曲線の調整傾向はコンポーネント値の調整傾向と同じである。
【００６９】
上記のように、本発明により提供される色温度調整装置は、液晶スクリーンが白色画面を表示する時に、液晶スクリーンの中のピクセルの色座標値を取得し、色座標値がターゲット色座標エリア内に存在するかどうかを検出し、ターゲット色座標エリアはターゲット色座標値を含むエリアであり、ターゲット色座標値は液晶スクリーンのターゲット色温度に従って算出された色座標値であり、色座標値がターゲット色座標エリア内に存在しない場合、ピクセルに対応するＮ個の原色光のうちの少なくとも一つのコンポーネント値を調整して、調整後のピクセルの色座標値がターゲット色座標エリア内に存在するようになるまで調整した後停止することである。異なるコンポーネント値の原色光を相互に混合すれば、異なる色温度の光が生成されるので、原色光のコンポーネント値を調整することにより、調整された後に各種原色光を混合して得た色温度をターゲット色温度と等しいようにすることで、異なるブロックのＬＥＤを液晶スクリーンに交互に配置した後、液晶スクリーンの色温度が依然として不一致した問題を解決し、液晶スクリーンの色温度の一致性を向上させる効果を達成する。。
【００７０】
また、調整された後の原色光のコンポーネント値に従って、原色光に対応するガンマ曲線を調整し、ガンマ曲線の調整傾向はコンポーネント値の調整傾向と同じであることにより、液晶スクリーンの色温度を調整した後、液晶スクリーンの明るさとコントラストに対して調整して、液晶スクリーンの表示効果を向上させる。
【００７１】
上記実施例における装置に関し、そのなかに、各モジュールは操作を実行する具体的な方式はすでにこの方法に関連する実施例で詳しく説明し、ここで詳しく説明しない。
【００７２】
本発明の一つの例示的な実施例は一つの色温度調整装置を提供し、本発明により提供される色温度調整方法を実現でき、この色温度調整装置はプロセッサと、プロセッサの実行可能な命令を記憶することに用いられるメモリとを含む。
【００７３】
ここで、プロセッサは、
液晶スクリーンが白色画面を表示する時に、液晶スクリーンの中のピクセルの色座標値を取得し、
色座標値がターゲット色座標エリア内に存在するかどうかを検出し、
色座標値がターゲット色座標エリア内に存在しない場合、ピクセルに対応するＮ個の原色光のうちの少なくとも一つのコンポーネント値を調整して、調整後のピクセルの色座標値がターゲット色座標エリア内に存在するようになるまで調整した後停止するように構成され、
ターゲット色座標エリアはターゲット色座標値を含むエリアであり、ターゲット色座標値は液晶スクリーンのターゲット色温度に従って算出された色座標値であり、Ｎは正整数である。
【００７４】
図５は一つの例示的な実施例に示される一つの色温度調整に用いられる装置５００のブロック図である。例えば、装置５００は携帯電話、コンピュータ、デジタル放送端末、メッセージングデバイス、ゲーム機、タブレットデバイス、医療機器、フィットネス機器、パーソナルデジタルアシスタントなどであることができる。
【００７５】
図５に参照すると、装置５００は、処理コンポーネント５０２、メモリ５０４、電源コンポーネント５０６、マルチメディアコンポーネント５０８、オーディオコンポーネント５１０、入力／出力（Ｉ／Ｏ）インターフェース５１２、センサーコンポーネント５１４、及び通信コンポーネント５１６の一つ又は複数のコンポーネントを含むことができる。
【００７６】
処理コンポーネント５０２は、通常、装置５００の操作全体、例えば、表示、電話呼び出し、データ通信、カメラ操作および記録操作に関連する操作を制御する。処理コンポーネント５０２は一つ又は複数のプロセッサ５２０を含んで命令を実行して、上記方法のすべて又は一部のステップを完成する。また、処理コンポーネント５０２は一つ又は複数のモジュールを含むことにより、処理コンポーネント５０２と他のコンポーネントとの間のインタラクションのために便利を与える。例えば、処理コンポーネント５０２はマルチメディアモジュールを含むことができ、マルチメディアコンポーネント５０８と処理コンポーネント５０２との間のインタラクションのために便利を与える。
【００７７】
メモリ５０４は、各種タイプのデータを記憶して装置５００での操作をサポートするように構成される。これらのデータの例は、装置５００で操作されるいかなるアプリケーションプログラム又は方法の命令、連絡先データ、電話帳データ、メッセージ、画像、ビデオなどを含むことができる。メモリ５０４は、いかなるタイプの揮発性または不揮発性記憶装置又はそれらの組み合わせ、例えば、スタティックランダムアクセスメモリ（ＳＲＡＭ）、電気的消去可能プログラマブル読み取り専用メモリ（ＥＥＰＲＯＭ）、消去可能なプログラマブルリードオンリーメモリ（ＥＰＲＯＭ）、プログラマブルリードオンリメモリ（ＰＲＯＭ）、読み取り専用メモリ（ＲＯＭ）、磁気メモリ、フラッシュメモリ、磁気ディスク又は光ディスクによって実現することができる。
【００７８】
電源コンポーネント５０６は、装置５００の各種コンポーネントへ電力を供給する。電源コンポーネント５０６は、電源管理システムと、一つ又は複数の電源および、装置５００へ電力を生成し、管理して配布することに関連する他のコンポーネントとを含んでもいい。
【００７９】
マルチメディアコンポーネント５０８は、前記装置５００とユーザーの間へ一つの出力インターフェースを提供するスクリーンを含む。いくつかの実施例において、スクリーンは、液晶モニター（ＬＣＤ）とタッチパネル（ＴＰ）を含むことができる。スクリーンがタッチパネルを含むと、スクリーンは、ユーザーからの入力信号を受信するように、タッチスクリーンとして実現される。タッチパネルは、タッチ、スライドおよびタッチパネル上でのジェスチャーを感知するために、一つ又は複数のタッチセンサーを含む。前記タッチセンサーはタッチ又はスライド動作の境界を感知するだけではなく、前記タッチ又はスライド操作と関連する継続時間と圧力も検出する。いくつかの実施例において、マルチメディアコンポーネント５０８は一つのフロントカメラ及び／又はリアカメラを含む。装置５００が操作モード、例えば撮影モード又はビデオモードである場合、フロントカメラ及び／又はリアカメラは外部のマルチメディアデータを受信できる。各フロントカメラとリアカメラは一つの固定的な光学レンズシステムであることができ、又はフォーカスと光学ズーム機能を備えることができる。
【００８０】
オーディオコンポーネント５１０はオーディオ信号を出力及び／又は入力するように構成される。例えば、オーディオコンポーネント５１０は一つのマイク（ＭＩＣ）を含み、装置５００が操作モード、例えば、呼び出しモード、記録モードおよびオーディオ認識モードである場合、マイクは外部オーディオ信号を受信するように構成される。受信されるオーディオ信号はメモリ５０４にさらに記憶され、又は通信コンポーネント５１６を介して送信される。ある実施例において、オーディオコンポーネント５１０は一つのスピーカーをさらに含んでいて、オーディオ信号を出力することに用いられる。
【００８１】
Ｉ／Ｏインターフェース５１２は処理コンポーネント５０２と外部インターフェースモジュールとの間にインターフェースを提供し、上記外部インターフェースモジュールはキーボード、クリックホイール、ボタンなどであることができる。これらのボタンはホームボタン、ボリュームボタン、起動ボタンおよびロックボタンを含むが、それらに限られない。
【００８２】
センサーコンポーネント５１４は一つ又は複数のセンサーを含んでいて、装置５００へ各方面の状態評価を提供することに用いられる。例えば、センサーコンポーネント５１４は装置５００のスタート／シャットダウン状態、コンポーネントの相対位置決め、例えば、前記コンポーネントが装置５００のモニターとキーパッドであることを検出できる。また、センサーコンポーネント５１４は装置５００又は装置５００一つのコンポーネントの位置変化、ユーザーと装置５００との接触が存在するか、装置５００の方位又は加速／減速および装置５００の温度変化をさらに検出できる。センサーコンポーネント５１４は、いかなる物理的な接触がない時に付近の物体の存在を検出することに用いられるように構成される接近センサーを含むことができる。センサーコンポーネント５１４は、イメージングアプリケーションに利用される、例えば、ＣＭＯＳ又はＣＣＤイメージセンサーのような光センサーをさらに含むことができる。いくつかの実施例において、このセンサーコンポーネント５１４は加速度センサー、ジャイロスコープセンサー、磁気センサー、圧力センサー又は温度センサーをさらに含むことができる。
【００８３】
通信コンポーネント５１６は装置５００とその他の装置との間で有線又は無線方式の通信をしやすいように構成される。装置５００は通信標準に基づく無線ネットワーク、例えば、ＷｉＦｉ、２Ｇ又は３Ｇ、又はそれらの組み合わせにアクセスできる。一つの例示的な実施例において、通信コンポーネント５１６は放送チャネルを介して外部放送管理システムからの放送信号又は放送関連情報を受信する。一つの例示的な実施例において、前記通信コンポーネント５１６は近距離無線通信（ＮＦＣ）モジュールを含み、近距離通信を推進する。例えば、無線周波数識別（ＲＦＩＤ）技術、赤外線通信協会（ＩｒＤＡ）技術、超広帯域（ＵＷＢ）技術、ブルートゥース（登録商標）（ＢＴ）技術とその他の技術に基づいて、ＮＦＣモジュールで実現することができる。
【００８４】
例示的な実施例において、装置５００は、一つ又は複数のアプリケーション専用集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子部品により実現されることができ、上記方法を実行することに用いられる。
【００８５】
例示的な実施例において、命令を含む非一時的なコンピュータ可読記憶媒体、例えば、命令を含むメモリ５０４をさらに提供し、上記命令は装置５００のプロセッサ５１８により実行されて上記方法を完成する。例えば、非一時的なコンピュータ可読記憶媒体は、ＲＯＭ、ランダムアクセスメモリ（ＲＡＭ）、ＣＤ−ＲＯＭ、磁気テープ、フロッピーディスクと光データ記憶装置などである。
【００８６】
本分野の当業者は明細書及びここで開示された発明を実践した後、本発明の他の実施の形態を容易に想到することができる。本願は本発明の主旨以内に、いかなる変形、利用又は適応性変化を含み、これらの変形、利用又は適応性変化は、本発明の一般的な原理に従って、本発明で開示されない本技術分野の周知の常識や、慣用技術手段を含む。明細書と実施例は、例示的なものに過ぎず、本発明の真の範囲と技術的思想は、下記の特許請求の範囲によって明らかになるだろう。
【００８７】
本発明は、上記で説明し図面に示した正確な構造に限定されるものではなく、その範囲を逸脱しない範囲内で様々な修正と変更を行うことができていることを理解しなければならない。本発明の範囲は、添付されている特許請求の範囲によってのみ限定される。
【産業上の利用可能性】
【００８８】
本発明の実施例によれば、液晶スクリーンが白色画面を表示する時に、液晶スクリーンの中のピクセルの色座標値を取得し、色座標値がターゲット色座標エリア内に存在するかどうかを検出し、ターゲット色座標エリアはターゲット色座標値を含むエリアであり、ターゲット色座標値は液晶スクリーンのターゲット色温度に従って算出された色座標値であり、色座標値がターゲット色座標エリア内に存在しない場合、ピクセルに対応するＮ個の原色光のうちの少なくとも一つのコンポーネント値を調整して、調整後のピクセルの色座標値がターゲット色座標エリア内に存在するようになるまで調整した後停止するものである。異なるコンポーネント値の原色光を相互に混合すれば、異なる色温度の光が生成されるので、原色光のコンポーネント値を調整することにより、調整された後に各種原色光を混合して得た色温度をターゲット色温度と等しいようにすることで、異なるブロックのＬＥＤを液晶スクリーンに交互に配置した後、液晶スクリーンの色温度が依然として不一致した問題を解決し、液晶スクリーンの色温度の一致性を向上させる効果を達成する。
【図１】
0006396455.tif 000002
【図２】
0006396455.tif 000003
【図３】
0006396455.tif 000004
【図４】
0006396455.tif 000005
【図５】
0006396455.tif 000006